(57)【要約】【課題】階調視角特性、及び、色視角特性を同時に改善し、広い視野角と高い透過率、良好な表示品位を実現する。【解決手段】少なくとも青色画素が、その画素電極及び共通電極の少なくとも一方の上に誘電体層を有するか、あるいは赤色、緑色、及び青色画素は、各々、画素電極及び共通電極のうち少なくとも一方の上に誘電体層を有し、赤色、緑色、及び青色画素のうち１つの誘電体層の面積または厚さが、他の色画素と異なる液晶表示素子。【選択図】      図１
2008040101.tif 000002
【特許請求の範囲】
【請求項１】
一主面上に赤色、緑色、及び青色画素に各々対応した赤色、緑色、及び青色カラーフィルター層、及び共通電極を有する対向基板と、前記対向基板と対向して配置され、一主面上に前記赤色、前記緑色、及び前記青色画素に対応した複数の画素電極が設けられたアレイ基板と、両基板間に挟持された負の誘電率異方性を有する液晶組成物とを具備する液晶表示素子において、
少なくとも前記青色画素は、その前記画素電極及び前記共通電極の少なくとも一方の上に形成された誘電体層を含むことを特徴とする液晶表示素子。
【請求項２】
一主面上に赤色、緑色、及び青色画素に各々対応した赤色、緑色、及び青色カラーフィルター層、及び共通電極を有する対向基板と、前記対向基板と対向して配置され、一主面上に前記赤色、前記緑色、及び前記青色画素に対応した複数の画素電極が設けられたアレイ基板と、両基板間に挟持された負の誘電率異方性を有する液晶組成物とを具備する液晶表示素子において、
前記赤色、緑色、及び青色画素は、各々、前記画素電極及び前記共通電極のうち少なくとも一方の上に形成された誘電体層を含み、前記赤色画素、前記緑色画素、及び前記青色画素のうち１つの前記誘電体層の面積または厚さは、他の色画素と異なることを特徴とする液晶表示素子。
【請求項３】
前記誘電体層の面積または厚さは、前記緑色画素及び前記赤色画素よりも、前記青色画素の方が大きいことを特徴とする請求項１または２に記載の液晶表示装置。
【請求項４】
前記誘電体層の面積或いは高さが、前記赤色画素、前記緑色画素、及び前記青色画素の順に大きいことを特徴とする請求項３に記載の液晶表示素子。
【発明の詳細な説明】
【技術分野】
【０００１】
本発明は、マルチドメイン型ＶＡＮモードを用いた液晶表示素子に関するもので、特に、ＴＦＴなどの能動素子により駆動される高精細型液晶表示装置の表示特性を向上させる液晶表示素子に関する。
【背景技術】
【０００２】
液晶表示素子を用いた表示装置は、軽量、薄型、及び低消費電力であることから、ＯＡ機器、情報端末、時計、及びテレビ等種々の分野に応用されている。
【０００３】
特に、ＴＦＴ素子を用いた液晶素子は、その迅速な応答性から携帯テレビやコンピュータなど多くの情報を含むデータの表示用モニターに用いられており、最近では更なる高精細化、高速応答化、広視野角化が要求されている。高精細化には主にＴＦＴアレイ構造の微細化により対応がなされており、高速応答性ではネマチック液晶を用いたＯＣＢ方式、ＶＡＮ方式、ＨＡＮ方式、π配列方式、スメクチック液晶を用いた界面安定型強誘電性液晶（ＳＳＦＬＣ）方式、反強誘電性液晶（ＡＦＬＣ）方式が検討されている。
【０００４】
また、広視角化ではＯＣＢ方式、ＶＡＮ方式に加え、ＩＰＳ方式を用いた表示装置が検討されている。中でも、マルチドメイン型ＶＡＮモードは、従来のツイストネマチック型（ＴＮ）モードより速い応答速度が得られ、且つ視野角の補償設計が比較的容易で、広い視野角を実現することが可能であるだけでなく、垂直配向処理の採用により従来静電気破壊など不良原因の発生が危惧されていたラビング配向処理工程を削除可能なことから近年注目されている液晶表示モードである（例えば、特許文献１参照）。
【０００５】
また、最近では液晶分子が垂直に配列した状態、すなわち黒表示状態での視野角特性改善も盛んに進められている。例えば、液晶層の位相差を負の位相差板を用いて補償する方法や、或いは前記負の位相差板に面内位相差を持たせて２軸位相差板とし、偏光板の視野角依存性も同時に補償する方法などが提案されており、優れたコントラスト視角特性を実現している。
【０００６】
しかしながら、斜め視角方向から見た場合の階調視角特性、及び色視角特性が悪かった。
【０００７】
例えば階調視角特性では、実際の画像表示においては、斜め方向から見た場合に画像が全体に潰れ、白茶けて見えるという表示の不具合として認識される。この階調特性の視角依存性に由来する表示の不具合は、白抜け、或いは白浮きとも呼ばれている。
【０００８】
また、斜め視角方向から見た場合の色視角特性では、正面での表示に比べ黄色く色付いて見えるという不具合が生じる。
【０００９】
このようなことから、マルチドメイン型ＶＡＮモードを用いた液晶表示素子のさらなる改善が求められている。
【特許文献１】特開２００４−６２１６４号公報
【発明の開示】
【発明が解決しようとする課題】
【００１０】
本発明は、上記事情を鑑みてなされたものであり、その目的は、マルチドメイン型ＶＡＮモードを用いた液晶表示素子において、階調視角特性、及び、色視角特性を同時に改善し、広い視野角と高い透過率、良好な表示品位を実現することにある。
【課題を解決するための手段】
【００１１】
本発明は、第１に、一主面上に赤色、緑色、及び青色画素に各々対応した赤色、緑色、及び青色カラーフィルター層、及び共通電極を有する対向基板と、前記対向基板と対向して配置され、一主面上に前記赤色、前記緑色、及び前記青色画素に対応した複数の画素電極が設けられたアレイ基板と、両基板間に挟持された負の誘電率異方性を有する液晶組成物とを具備する液晶表示素子において、
少なくとも前記青色画素は、その前記画素電極及び前記共通電極の少なくとも一方の上に形成された誘電体層を含むことを特徴とする液晶表示素子を提供する。
【００１２】
本発明は、第２に、一主面上に赤色、緑色、及び青色画素に各々対応した赤色、緑色、及び青色カラーフィルター層、及び共通電極を有する対向基板と、前記対向基板と対向して配置され、一主面上に前記赤色、前記緑色、及び前記青色画素に対応した複数の画素電極が設けられたアレイ基板と、両基板間に挟持された負の誘電率異方性を有する液晶組成物とを具備する液晶表示素子において、
前記赤色、緑色、及び青色画素は、各々、前記画素電極及び前記共通電極のうち少なくとも一方の上に形成された誘電体層を含み、前記赤色、緑色、及び青色画素のうち１つの前記誘電体層の面積または厚さは、他の色画素と異なることを特徴とする液晶表示素子を提供する。
【発明の効果】
【００１３】
上述したように、本発明によれば、マルチドメイン型ＶＡＮモードを用いた液晶表示素子において、階調視角特性、及び色視角特性を同時に改善し、広い視野角と高い透過率、良好な表示品位を有する液晶表示素子を安価に提供する事が可能となる。
【発明を実施するための最良の形態】
【００１４】
本発明は、マルチドメイン型ＶＡＮモードを用いた液晶表示素子に関し、階調視角特性、及び、色視角特性を同時に改善するものである。
【００１５】
本発明の第１の観点に係る液晶表示素子は、一主面上に赤色、緑色、及び青色画素に各々対応した赤色、緑色、及び青色カラーフィルター層、及び共通電極を有する対向基板と、対向基板に対向配置され、一主面上に前記赤色、緑色、及び青色画素に対応した複数の画素電極が設けられたアレイ基板と、対向基板及びアレイ基板間に狭持された負の誘電率異方性を有する液晶組成物とを有する液晶表示素子において、
少なくとも青色画素は誘電体層を有し、この誘電体層は、その画素電極及び共通電極のうち少なくとも一方の上に形成されている。
【００１６】
また、本発明の第２の観点に係る液晶表示素子は、一主面上に赤色、緑色、及び青色画素に各々対応した赤色、緑色、及び青色カラーフィルター層、及び共通電極を有する対向基板と、対向基板と対向して配置され、一主面上に赤色、緑色、及び青色画素に対応した複数の画素電極が設けられたアレイ基板と、両基板間に挟持された負の誘電率異方性を有する液晶組成物とを具備する液晶表示素子において、
赤色、緑色、及び青色画素は、各々、画素電極及び前記共通電極のうち少なくとも一方の上に形成された誘電体層を含み、赤色、緑色、及び青色画素のうち１つの誘電体層の面積または厚さは、他の色画素と異なることを特徴とする液晶表示素子を提供する。
【００１７】
本発明の好ましい実施形態の１つは、赤色、緑色、及び青色画素に誘電体層を有し、誘電体層の面積または膜厚を、緑色画素及び赤色画素と比較して青色画素のみ大きくすることができる。なお、この場合には、緑色画素及び赤色画素の面積または厚さは、同じでも異なっていても良い。
【００１８】
さらに、好ましい実施形態の他の１つは、誘電体層の面積または膜厚を、青色画素＞緑色画素＞赤色画素の順とする。
【００１９】
図１に、本発明の第１の観点に係る液晶表示素子の一例における３色の画素の画素電極、誘電体層、及び対向突起の配置を平面的に表す図を示す。
【００２０】
また、図２に、図１に関する液晶表示素子のＡ−Ａ’断面図及びＢ−Ｂ’断面図を並べて示す。
【００２１】
図示すように、本発明に係る液晶表示素子は、マルチドメイン型ＶＡＮモードを用いており、アレイ基板１上に、赤色Ｒ、緑色Ｇ、及び青色画素Ｂに対応した例えば長方形の複数の画素電極７Ｒ，７Ｇ，及び７Ｂが形成されている。各画素電極７Ｒ，７Ｇ，及び７Ｂ間にはスリットが設けられている。また、画素電極７Ｂ上には、部分的に誘電体層２０が設けられている。
【００２２】
一方、対向基板１０上には、青色フィルター５、図示しない緑色フィルター、及び赤色フィルターを有するカラーフィルター、及び対向電極１１が設けられ、対向電極１１上の幅方向中央部には、長手方向に沿って、対向突起１２が各々設けられている。また、これらの電極が設けられた両基板の主面上には、図示しない垂直配向膜が形成されている。さらに、この垂直配向膜間に、負の誘電異方性を示すネマチック液晶材料１５が狭持されている。ここで、負の誘電異方性を示する液晶材料を使用するのは、後に詳述するように、本マルチドメイン型ＶＡＮモードにおいては、液晶分子を該分子の長軸方向が電圧印加により生じた電界に対して直交する方向に傾斜させることで配向分割を行うためである。
【００２３】
図２において、左半分は誘電体層２０が設けられた部分の液晶表示素子の構成を表し、
右半分は誘電体層２０が設けられない部分の液晶表示素子の構成を表す。
【００２４】
このような液晶表示素子では、電圧が印加されていない状態では、液晶分子は垂直方向に配向する。
【００２５】
また、所定の電圧を印加した状態では電界離散効果により画素電極スリット外側に電界が傾斜し、液晶はスリットの内側に傾斜する。一方、対向基板側では突起の形状効果により液晶は突起の外側に傾斜する。この原理に従えば、画素電極スリット及び対向突起を複数の方向への異方性を有するパターンに形成するだけで、液晶層を複数のドメインに容易に分割することが可能である。
【００２６】
本発明では、容量分割法を用いて白抜け改善を図っており、画素電極上の一部に誘電体層２０を設けている。
【００２７】
ここで、マルチドメイン型ＶＡＮモードを用いた液晶表示素子の階調特性の視野角依存性の一例を表すグラフを図３に示す。
【００２８】
グラフの横軸は視野角、縦軸は明度（Ｌ＊）であり白表示時の明度を１００として規格化した値である。このグラフでは、８階調（Ｌ１〜Ｌ８）それぞれにおける視角特性が示されているが、このグラフをみれば、視野角が大きくなるにつれて各階調の明度が上がり、白表示との明度差が小さくなっていくのが分かる。ここでは全階調での正面と斜め方向での明度差（ΔＬ＊）の最大値を白抜け指標とする。
【００２９】
誘電体層２０が形成された領域では電圧降下が生じて液晶層への印加電圧は低下し、図２のＢ−Ｂ’断面図に示すように、誘電体層のない図２のＡ−Ａ’断面図に比べて液晶分子１５の傾きもまた小さくなる。結果として、一画素内で異なる電圧を液晶層に印加し、２水準の傾きを有する液晶分子の合成により中間調の階調表示を行うことが出来、白抜け現象は軽減される。また、この電圧差は、誘電体層２０の誘電率や面積、膜厚により決まり、所望の白抜け改善効果が得られるように最適設計することができる。このような最適設計として、本発明の第１の観点では誘電体層を青色画素のみに設け、第２の観点では誘電体層の面積または膜厚を、緑色画素及び赤色画素と比較して青色画素のみ大きくすること、第３の観点では誘電体層の面積または膜厚を青色画素＞緑色画素＞赤色画素の順とすることができる。
【００３０】
また、図４に、液晶表示素子における液晶の印可電圧と相対透過率との関係の一例を表すＶ−Ｔ曲線を示す。
【００３１】
図示するように、異なる波長を有する赤色、緑色、青色画素はそれぞれ異なるＶ−Ｔ曲線を描き、例えば電圧５Ｖ付近では、一般的な液晶表示素子では、青色画素＞緑色画素＞赤色画素の順で透過率がピークに達する。
【００３２】
しかし、視角を振った場合には、印加電圧を大きくシフトさせた場合と同様の挙動いわゆる波長分散を示すため、透過率の順が変化し、例えば緑色画素＞赤色画素＞青色画素となって、正面での表示に比べ黄色く色付いて見えるという不具合が生じる。色視角特性を表す指標としては、Δu’v’（正面との色差）が一般的に用いられている。
【００３３】
このようなことから、本発明では、誘電体層を青色画素のみに設けること、誘電体層の面積を、緑色画素及び赤色画素と比較して青色画素のみ大きくすること、あるいは誘電体層の面積を青色画素＞緑色画素＞赤色画素の順とし、液晶層に印加される電圧を赤色画素＞緑色画素＞青色画素の順にすることにより、Ｖ−Ｔ曲線が近づき、視角を振った場合にも透過率の順は一定となって色変化は改善される。
【００３４】
また、誘電体層の厚さを緑色画素及び赤色画素と比較して青色画素のみ大きくすること、あるいは誘電体層の厚さを青色画素＞緑色画素＞赤色画素の順とし、液晶層に印加される電圧を赤色画素＞緑色画素＞青色画素の順にすることにより、Ｖ−Ｔ曲線を揃えて同様に色視角を改善することができる。この場合には、誘電体層による電圧降下の効果だけでなく、マルチギャップの効果すなわち画素毎にセルギャップ（ｄ）を異ならせ、液晶層のリタデーション値（Δｎｄ）を調整することでＶ−Ｔ曲線を揃えるような効果も組み合わせることが可能である。
【００３５】
本発明の液晶表示素子では、誘電体層の面積、或いは膜厚を赤色、緑色、青色画素毎に変化させている点にある。前述したように、誘電体層による液晶層印加電圧の降下量は、誘電体層の面積、或いは膜厚により変化するため、これら値を最適化することで、ＲＧＢ画素のＶ−Ｔ曲線を揃えて、白抜けと同時に色視角特性も改善することが可能となる。
【００３６】
また、本発明では、容量分割により画素の一部の液晶層印加電圧を下げることから、透過率が低下する傾向があるけれども、Δｎ値すなわち屈折率異方性の高い液晶を用いるか、或いは液晶セルのギャップを大きくする等により、低下した分の透過率を補う設計が可能である。これは、本発明では、白抜けと同時に色視角特性も改善することができるので、液晶層のリタデーション値であるΔｎｄ値を上げた場合に問題となる色付きを、低く抑えることができるからである。
【００３７】
このように、本発明によれば、マルチドメイン型ＶＡＮモードを用いた液晶表示素子において、階調視角特性、及び、色視角特性を同時に改善し、広い視野角と高い透過率、良好な表示品位を有する液晶表示素子を安価に提供する事が可能となる。
【実施例】
【００３８】
以下、実施例を示し、本発明をより具体的に説明する。
【００３９】
尚、この実施例は、本発明の理解を容易にするために掲載されるものであり、本発明を限定するものではない。また、本発明は、その要旨の範囲内で種々変更して用いることができる。
【００４０】
実施例１
図５に、本発明の液晶表示素子の他の一例の構成を表す断面図を示す。
【００４１】
図６に、本発明の液晶表示素子の他の一例における３色の画素の画素電極、誘電体層、及び対向突起の配置を平面的に表す図を示す。
【００４２】
また、図７に、図６に関する液晶表示素子のＡ−Ａ’断面図及びＢ−Ｂ’断面図を並べて示す。
【００４３】
図６に示すように、この液晶表示素子の３色の画素の画素電極、誘電体層、及び対向突起の配置は、画素電極７Ｂ上のみならず、画素電極７Ｇ、及び画素電極７Ｒにもまた、部分的に誘電体層２０が設けられており、その面積が、画素電極７Ｂ＞画素電極７Ｇ＞画素電極７Ｒの順で大きいこと以外は、図１と同様の構成を有する。
【００４４】
まず、透明基板上１のもう一方の主面に、図示しないゲート線及び補助容量線をモリブデンで膜厚約０．３μｍスパッタリングにより成膜し、フォトリソグラフィにより所定の形状にパターン形成する。その上に、膜厚０．１５μｍに二酸化珪素あるいは窒化珪素から成るゲート絶縁膜層を形成し、その上にＴＦＴの半導体層を設ける。
【００４５】
さらに、その上に、膜厚０．３μｍのＡｌから成る信号線とソース電極を形成し、ＴＦＴ２を形成する。
【００４６】
続いて、感光性レジストをスピンナーで全面塗布し、絶縁層８を形成する。その後、ＩＴＯを膜厚約０．１μｍスパッタリングしてフォトリソグラフィにより画素電極７のパターンを形成し、更に、感光性レジストを用いて、各画素電極７上に誘電体層２０を形成した。その後、透明樹脂レジストを塗布し、フォトリソグラフィによりスペーサ１６を形成した。
【００４７】
一方で、対向基板１０上には、赤色の顔料を分散させた感光性レジストを塗布し、フォトリソグラフィにより赤色の着色層３を形成した。その後、同様にして緑色の着色層４、及び青色の着色層５をそれぞれ形成した。その上に、ＩＴＯを膜厚約０．１μｍでスパッタリングして共通電極１１を形成し、更に、感光性レジストにより配向制御用の突起１２を形成した。その後、パネル周辺部には額縁１７を形成した。
【００４８】
なお、ここでは、上記誘電体層２０の面積を、各々、青色用画素電極の約１／２、緑色用画素電極の約１／４、赤色用画素電極の約１／６にした。また、誘電体層２０の高さは同じくした。
【００４９】
このようにして出来上がったアレイ基板１と、対向基板１０に、それぞれ垂直性を示す配向膜１３を７０ｎｍ厚さで塗布した後、アレイ基板端面と対向基板端面を治具で合わせ、エポキシ系の熱硬化樹脂から成る接着剤１９を用いて貼合わせた。続いて、誘電率異方性が負の液晶材料１５をセルに充填し、液晶表示素子を形成し、注入口を紫外線硬化樹脂で封止して、例えば対角８インチの大きさの液晶セルを作製した。さらに、その両面に、偏光板１８を設けた。
【００５０】
この液晶セルの階調視角特性として、８階調例えばＬ１ないしＬ８における明度Ｌ＊を、ＥＬＤＭ社製  視野角特性測定装置（ＥＺＣｏｎｔｒｓｔ）を用いて、正面と斜め方向とで測定し、その明度差ΔＬ＊を求めたところ、８階調での最大値は約３５％であった。
【００５１】
また、目視評価によっても比較例１に比べ白抜けの程度が軽減されているのを確認できた。また、同装置で色視角特性ΔＵ’Ｖ’を測定した結果は約０．０３であった。
【００５２】
比較例１
図８に、従来の液晶表示素子の一例における３色の画素の画素電極、誘電体層、及び対向突起の配置を平面的に表す図を示す。
【００５３】
また、図９に、図８に関する液晶表示素子のＣ−Ｃ’断面図を示す。
【００５４】
図８に示すように、この液晶表示素子は、画素電極７Ｂ、画素電極７Ｇ、及び画素電極７Ｒ上に設けられた誘電体層２０の面積が、各々、同じ大きさで、画素電極７Ｂ、画素電極７Ｇ、及び画素電極７Ｒの約１／２で、かつ誘電体層２０の厚さを同じとしたこと以外は、図６と同様の構成を有する。
【００５５】
実施例１と同様にして、液晶セルを形成し、その階調視角特性を測定したところ、その明度差ΔＬ＊の最大値は約３５％であった。また、色視角特性としてΔＵ’Ｖ’を測定したところ、約０．０４５であった。
【００５６】
比較例２
図１０に、従来の液晶表示素子の他の一例における３色の画素の画素電極、誘電体層、及び対向突起の配置を平面的に表す図を示す。
【００５７】
また、図１１に、図１０に関する液晶表示素子のＣ−Ｃ’断面図を示す。
【００５８】
図１０に示すように、この液晶表示素子は、画素電極７Ｂ、画素電極７Ｇ、及び画素電極７Ｒ上に誘電体層２０を設けないこと以外は、図６と同様の構成を有する。
【００５９】
実施例１と同様にして、液晶セルを形成し、その階調視角特性を測定したところ、その明度差ΔＬ＊の最大値は約５０％であった。また、色視角特性としてΔＵ’Ｖ’を測定したところ、約０．０６であった。
【００６０】
以上の測定結果から、実施例１は、比較例１に比べ、ΔＬ*が約３０％改善し、色視角特性が比較例１に比べ、約５０％と大きく改善しており、良好な表示が確認できた。
【００６１】
比較例１のΔＬ*は比較例２に対し約３０％改善された。また、色視角特性も、比較例２に比べ約２５％改善されたが、いずれも十分ではなく、斜め視角方向から見た場合の色変化が視認された。
【００６２】
同様のプロセスにより試作した液晶セルの階調視角特性を評価したところ、比較例２は、実施例１、及び比較例１に比べΔＬ*は約１．５倍もの値を示し、かなり劣っていた。また、色視角特性も非常に劣っており、実施例１に比べ約２倍の値を示した。目視評価の結果でも、斜め視角方向からみると画像は白く潰れ、正面に比べ色味も大きく変化し、良好な表示は得られなかった。
【００６３】
実施例２
図１２に、本発明の液晶表示素子のさらに他の一例における３色の画素の画素電極、誘電体層、及び対向突起の配置を平面的に表す図を示す。
【００６４】
また、図１３に、図１２に関する液晶表示素子のＣ−Ｃ’断面図を示す。
【００６５】
図１２に示すように、この液晶表示素子は、画素電極７Ｂ、画素電極７Ｇ、及び画素電極７Ｒ上に設けられた誘電体層２０の面積が、各々、同じ大きさで、画素電極７Ｂ、画素電極７Ｇ、及び画素電極７Ｒの約１／２であり、緑色画素を基準として青色画素ではそれより０．４μｍ厚く、赤色画素では０．２μｍ薄くしたこと以外は、図６と同様の構成を有する。
【００６６】
実施例１と同様にして、液晶セルを形成し、その階調視角特性を測定したところ、その明度差ΔＬ＊の最大値は、約３５％であった。また、色視角特性としてΔＵ’Ｖ’を測定したところ、約０．０３であった。
【００６７】
このように、実施例１と同様に良好な階調視角特性、及び色視角特性が確認できた。
【００６８】
実施例３
図１４に、本発明の液晶表示素子のさらにまた他の一例における３色の画素の画素電極、誘電体層、及び対向突起の配置を平面的に表す図を示す。
【００６９】
また、図１５に、図１４に関する液晶表示素子のＣ−Ｃ’断面図を示す。
【００７０】
図１４に示すように、この液晶表示素子は、画素電極７Ｂ、画素電極７Ｇ、及び画素電極７Ｒ上に設けられた誘電体層２０の面積が、各々、画素電極７Ｂの約１／２、画素電極７Ｇの約１／４、画素電極７Ｒの約１／４であり、また、誘電体層２０の厚さをほぼ等しくしたこと以外は、図６と同様の構成を有する。
【００７１】
実施例１と同様にして、液晶セルを形成し、その階調視角特性を測定したところ、その明度差ΔＬ＊の最大値は、３５％であった。また、色視角特性としてΔＵ’Ｖ’を測定したところ、約０．０３であった。
【００７２】
このように、実施例１と同様に良好な階調視角特性、及び色視角特性が確認できた。
【００７３】
実施例４
図１６に、本発明の液晶表示素子のその他の一例における３色の画素の画素電極、誘電体層、及び対向突起の配置を平面的に表す図を示す。
【００７４】
また、図１７に、図１６に関する液晶表示素子のＣ−Ｃ’断面図を示す。
【００７５】
図１６に示すように、この液晶表示素子は、画素電極７Ｂ、画素電極７Ｇ、及び画素電極７Ｒ上に設けられた誘電体層２０の面積が、各々、同じ大きさで、かつ誘電体層２０の厚さを、緑色画素、及び赤色画素を基準とし、青色画素のみ０．４μｍ厚くすること以外は図６と同様の構成を有する。
【００７６】
実施例１と同様にして、液晶セルを形成し、その階調視角特性を測定したところ、その明度差ΔＬ＊の最大値は約３５％であった。また、色視角特性としてΔＵ’Ｖ’を測定したところ、約０．０３であった。
【００７７】
このように、実施例１と同様に良好な階調視角特性、及び色視角特性が確認できた。
【図面の簡単な説明】
【００７８】
【図１】本発明の第１の観点における３色の画素の画素電極、誘電体層、及び対向突起の配置を平面的に表す図
【図２】図１の画素電極、誘電体層、及び対向突起の配置を断面的に表す図
【図３】液晶表示素子の階調特性の視野角依存性の例を表すグラフ
【図４】液晶表示素子における液晶の印可電圧と相対透過率との関係の一例を表すＶ−Ｔ曲線
【図５】本発明の液晶表示素子の他の一例の構成を表す断面図
【図６】本発明の液晶表示素子の他の一例における３色の画素の画素電極、誘電体層、及び対向突起の配置を平面的に表す図
【図７】図６に関する液晶表示素子のＡ−Ａ’断面図及びＢ−Ｂ’断面図
【図８】従来の液晶表示素子の一例における３色の画素の画素電極、誘電体層、及び対向突起の配置を平面的に表す図
【図９】図８に関する液晶表示素子のＣ−Ｃ’断面図
【図１０】従来の液晶表示素子の他の一例における３色の画素の画素電極、誘電体層、及び対向突起の配置を平面的に表す図
【図１１】図１０に関する液晶表示素子のＣ−Ｃ’断面図
【図１２】本発明の液晶表示素子のさらに他の一例における３色の画素の画素電極、誘電体層、及び対向突起の配置を平面的に表す図
【図１３】図１２に関する液晶表示素子のＣ−Ｃ’断面図
【図１４】本発明の液晶表示素子のさらにまた他の一例における３色の画素の画素電極、誘電体層、及び対向突起の配置を平面的に表す図
【図１５】図１４に関する液晶表示素子のＣ−Ｃ’断面図
【図１６】本発明の液晶表示素子のその他の一例における３色の画素の画素電極、誘電体層、及び対向突起の配置を平面的に表す図
【図１７】図１６に関する液晶表示素子のＣ−Ｃ’断面図
【符号の説明】
【００７９】
１…アレイ基板、２…ＴＦＴ素子、３…赤色カラーフィルター、４…緑色カラーフィルター、５…青色カラーフィルター、６…コンタクト・ホール、７…画素ＩＴＯ電極、８…絶縁層、１０…対向基板、１１…共通電極、１２…対向突起、１３…配向膜、１５…液晶組成物、１６…スペーサ、１７…額縁、１８…偏光板、１９…接着剤、２０…誘電体層
【図１】
2008040101.tif 000003
【図２】
2008040101.tif 000004
【図３】
2008040101.tif 000005
【図４】
2008040101.tif 000006
【図５】
2008040101.tif 000007
【図６】
2008040101.tif 000008
【図７】
2008040101.tif 000009
【図８】
2008040101.tif 000010
【図９】
2008040101.tif 000011
【図１０】
2008040101.tif 000012
【図１１】
2008040101.tif 000013
【図１２】
2008040101.tif 000014
【図１３】
2008040101.tif 000015
【図１４】
2008040101.tif 000016
【図１５】
2008040101.tif 000017
【図１６】
2008040101.tif 000018
【図１７】
2008040101.tif 000019